(57)【特許請求の範囲】
【請求項１】
ファインダー光軸上に撮影範囲の中心を表すターゲットマークを設け、ファインダー光軸上のアイポイントから観察したときに前記ターゲットマークの像を被写体像とともにファインダー画面内で視認できるようにしたファインダー装置において、
前記ターゲットマークよりも接眼側に設けられた透明な基板のファインダー光軸上に微小な外径の正パワーのマイクロレンズを一体成形し、マイクロレンズの非形成領域を通る光束により被写体像が観察され、かつマイクロレンズの形成領域を通った光束により前記ターゲットマークの虚像が前記被写体像の位置付近で観察されるように構成し、前記基板からアイポイントまでの距離をｅ（ｍｍ）、ファインダー光軸を含む断面でのマイクロレンズのレンズ両端面がアイポイントに対して張る角度を２θとしたとき、
０．５≦２ｅ・ｔａｎθ≦２．５
を満足することを特徴とするファインダー装置。
【請求項２】
前記ファインダー装置は、パワーがそれぞれｐ1 ，ｐ2 の対物レンズと接眼レンズとを備え、ファインダー倍率をβ、接眼レンズとマイクロレンズとの合成パワーをｐ3 としたとき、
０．０５≦（ｐ3 ／｜ｐ2 ｜）×β≦０．２５
を満足することを特徴とする請求項１記載のファインダー装置。
【請求項３】
前記ファインダー装置は、ｐ1 が負、ｐ2 が正の逆ガリレオ式ファインダー光学系で構成され、前記ターゲットマークは対物レンズのいずれかの面もしくはその近傍に設けられた透明な平行平面板に形成され、マイクロレンズは接眼レンズのいずれかの面に一体成形されていることを特徴とする請求項１又は２記載のファインダー装置。
【請求項４】
前記ファインダー装置は、ｐ1 が負、ｐ2 が正の逆ガリレオ式ファインダー光学系で構成され、前記ターゲットマークは対物レンズのいずれかの面もしくはその近傍に設けられた透明な平行平面板に形成され、マイクロレンズは対物レンズと接眼レンズとの間、もしくは接眼レンズの背後に設けられた透明な基板に一体成形されていることを特徴とする請求項１又は２記載のファインダー装置。
【請求項５】
前記ターゲットマークが一体成形されたレンズ面又は基板面に撮影範囲を示す視野枠マークが設けられ、マイクロレンズが一体成形されたレンズ面又は基板面には前記視野枠マークに対応して微小な外径の別のマイクロレンズが一体成形され、この別のマイクロレンズを通して視野枠マークの虚像が被写体像の位置付近で観察されるようにしたことを特徴とする請求項３又は４記載のファインダー装置。
【発明の詳細な説明】
【０００１】
【産業上の利用分野】
本発明は、ファインダー画面の中心を表すターゲットマークや撮影範囲を表す視野枠を被写体画像とともに鮮明に観察することができるようにしたファインダー装置に関するものである。
【０００２】
【従来の技術】
コンパクトカメラや、予めフイルムを装填した状態で販売されているレンズ付きフイルムユニットのファインダーには逆ガリレオタイプのものが多く用いられている。また、逆ガリレオファインダーで被写体画像とともに撮影範囲の目安となる視野枠像を観察できるようにするために、採光式やアルバダ式が一般に用いられているが、いずれも構造が複雑化してコストアップになりやすい。
【０００３】
このような観点から、特開昭５２−１４１６３７号公報で知られるように、対物レンズあるいはその背後に設けた透明板に視野枠表示用のマークを形成し、このマークを接眼レンズや透明な基板に一体化した視度調節用の凸レンズ光学素子を通して視野枠像として観察できるようにしたものがある。このファインダー装置の場合、最も簡単な構造のものでは、対物レンズにマークを設け、接眼レンズと一体に凸レンズ光学素子を設ければよく、これらのレンズをプラスチックレンズで構成するとほとんどコストアップを生じることがない。
【０００４】
【発明が解決しようとする課題】
前記公報記載のファインダー装置は、接眼側の凸レンズ光学素子によってマークの正立虚像を被写体の虚像位置付近に形成するもので、被写体像を対物レンズと接眼レンズとを通して観察し、またマークの像を凸レンズ光学素子を通して観察する場合には問題はない。しかし、特に凸レンズ光学素子を通してマークの像を観察したときには、被写体像の一部は対物レンズと接眼レンズとの他に、さらに凸レンズ光学素子を通して観察される。このため、被写体からの光束のうち凸レンズ光学素子を通った光束は凸レンズ光学素子のパワー（屈折力）の分だけ余計に屈折されることになり、この結果、被写体像の一部は対物レンズと接眼レンズとを通して観察される本来の被写体像とは視度が相違してくる。
【０００５】
一般に撮影者がファインダー観察を行うときには、被写体像を注視するのが普通であり、したがってほとんどの場合、撮影者は対物レンズと接眼レンズを通して被写体像を観察し、凸レンズ光学素子を通して得られる視野枠像は補助的に観察しているだけである。このような状態では、視野枠像が多少不鮮明ではあるものの、被写体像そのものは鮮明に観察できるためあまり不都合はないが、逆に撮影画面範囲の確認のために凸レンズ光学素子を通して視野枠像を注視したときには、被写体像に対して視度が合わなくなる。したがって、被写体像そのものが不鮮明になり、撮影画面範囲の確認が困難になる。
【０００６】
このような弊害は、視野枠像よりも特にファインダー画面の中心を表示するために対物レンズの中央部にターゲットマークを形成し、これを接眼レンズの中央部に設けた凸レンズ光学素子を通して観察しようとするときに顕著となる。というのは、この場合、凸レンズ光学素子は被写体中央部分からの光束を余分に屈折させて被写体像を本来の位置からずらしてしまい、ターゲットマーク像との間に隔たりを生じさせるからである。このような理由から、上記公報記載のファインダー装置では凸レンズ光学素子をファインダー光軸上に設けることを避けており、したがってこのような凸レンズ光学素子を用いて撮影画面の中心をファインダー内に表示することができなかった。
【０００７】
本発明は上記事情を考慮してなされたもので、撮影範囲を表す視野枠マークはもとより、撮影画面の中心を表すターゲットマークについても、その背後に設けられたマイクロレンズを通して被写体像とともに鮮明に観察することができるようにしたファインダー装置を提供することを目的とする。
【０００８】
【課題を解決するための手段】
本発明は上記目的を達成するために、ファインダー光路内に撮影画面の中心を表すターゲットマークを設け、その像を接眼側の透明な基板に一体に形成したマイクロレンズを通して観察する構成を採るにあたり、マイクロレンズを微少な外径にして、被写体からの光束の大部分がマイクロレンズの非形成領域を通って観察できるようにしたものである。ファインダー装置を負パワーの対物レンズと正パワーの接眼レンズとを用いた逆ガリレオ式にものにする場合には、ターゲットマークを対物レンズのいずれかの面に、そしてマイクロレンズを接眼レンズのいずれかの面に形成することによって、付加部品を用いることなく本発明のファインダーを簡便に構成することができる。
【０００９】
さらに、ターゲットマークあるいは視野枠マークを観察したときに、マイクロレンズを通らない光束によって被写体像を適切に観察することができるようにするためには、マイクロレンズを形成した基板からアイポイントまでの距離をｅ、ファインダー光軸を含む断面でのマイクロレンズのレンズ面両端がアイポイントに対して張る角度を２θとしたとき、
０．５≦２ｅ・ｔａｎθ≦２．５
を満足させるのが有効である。これにより、撮影者が眼をマイクロレンズを通してマークを観察しようとしたときでも、マイクロレンズを通さない本来の被写体像も同時に眼に入射するようになり、撮影者はマークの像とともにその本来の被写体像も同じ視度のままで観察することができるようになる。
【００１０】
また、本発明では、ファインダー装置を構成する対物レンズ及び接眼レンズのパワーをそれぞれｐ１  ，ｐ２  、ファインダー倍率をβ、接眼レンズとマイクロレンズとの合成パワーをｐ３  としたとき、
０．０５≦（ｐ３  ／｜ｐ２  ｜）×β≦０．２５
の条件が満たされるようにしてある。この条件式の下限は、対物レンズと接眼レンズとのレンズ間隔が極端に短くなることを規制しており、結果的にマークの像を被写体像の位置付近に形成するためのマイクロレンズのパワーが大きくなり過ぎないようにしている。マイクロレンズのパワーが大きくなり過ぎるとその製造公差が厳しくなって製造しにくくなる。条件式の上限は、逆に対物レンズと接眼レンズとの間隔が長くなることを規制する。これにより、携帯使用されるカメラの大型化を防ぐと同時に、マイクロレンズのパワーが小さくなり過ぎないようにしている。マイクロレンズのパワーが小さくなり過ぎると、マークを設ける位置を対物レンズよりも物体側に離さなくてはならず、実用的でない。
【００１１】
本発明のファインダー装置の光学系としては、基本的には逆ガリレオ式のものが好適で、この場合、対物レンズのいずれかの面またはその近傍にマークを設け、接眼レンズのいずれかの面にマイクロレンズを一体に形成することができる。また、マイクロレンズのパワーを適切に決めることによって、マークとマイクロレンズを対物レンズの物体側の面と接眼側の面に設けることも可能である。さらに、対物レンズと接眼レンズとの間に透明な平行平面板を配置することによって、マーク及びマイクロレンズを設ける位置に自由度を持たせ、製造適性を考慮してこれらの位置を選択することができる。マークの種類としては、ファインダー画面内に撮影範囲を表す視野枠マークの他、ファインダー画面の中心を表すターゲットマークがある。ターゲットマークは、単にフレーミングのときに撮影範囲の中心を確認するための用途だけでなく、オートフォーカス装置を内蔵したカメラでは測距エリアを表示することにも利用することができる。
【００１２】
複数種類の視野枠マークを必要とするカメラなどの場合、対物レンズや透明な平行平面板の同一面にこれらの視野枠マークを形成しておいたとしても、所定のマイクロレンズを選択することによって適切な視野枠マークだけを視野枠像としてファインダー内に表示することができる。このためには、ファインダー光路内でスライドされる透明な基板に、視野枠マークの種類に対応した位置にそれぞれマイクロレンズを形成しておき、透明板を移動させて所定のマイクロレンズをファインダー光路内にセットしたり、あるいは複数種類のマイクロレンズが形成された基板の前あるいは後で切換え部材を移動させ、所定のマイクロレンズのみを選択してファインダー光路内に露呈させればよい。
【００１３】
【実施例】
本発明を用いた逆ガリレオ式ファインダーを示す図１において、負パワーの対物レンズ２及び正パワーの接眼レンズ３はそれぞれプラスチックで成形されている。対物レンズ２の接眼側の面には、リング状のターゲットマーク４が形成されている。このターゲットマーク４はファインダー画面の中心をファインダー内表示するために用いられる。ターゲットマーク４は、図２あるいは図３に示すように、対物レンズ２の接眼側のレンズ面に断面が三角形状となる突起をリング状に形成したもので、レンズ面を成形するときに一体に形成される。
【００１４】
なお、このターゲットマーク４は、リング状の凹部としてレンズ面に一体成形したり、薄膜の蒸着や、黒又は光透過性の色つきインクでプリントして形成することができる他、対物レンズ２の成形金型の該当個所を粗面にしたり、あるいは成形後に該当個所にサンドブラストをかけて粗面するなど種々の手法により形成することができるが、図示した実施例のように突起形状にすると、対物レンズ２の成形金型の型構造が最も簡単になり、製造コストを安くする上で有利である。また、接眼レンズ３の背後に透明な平行平面板からなる基板を設け、この基板にマイクロレンズ５を一体成形して用いることも可能である。
【００１５】
接眼レンズ３の接眼側の面にはマイクロレンズ５が一体に成形され、接眼レンズ３はマイクロレンズ５を一体に支持する透明な基板としても用いられている。図２は上記ファインダー光学系による光路を概略的に示している。被写体７からの光線は、実線で示すように対物レンズ２，接眼レンズ３を通って接眼レンズ３の射出瞳８に達する。射出瞳８に撮影者のアイポイントＥＰを合わせると、被写体像１０は破線で示す位置に正立の虚像として観察される。一般に、被写体像１０は撮影者が０〜−１ディオプターの視度で観察できる位置に決められ、これに合わせて対物レンズ２及び接眼レンズ３のパワーが決められる。
【００１６】
一方、マイクロレンズ５を通してターゲットマーク４を観察すると、マイクロレンズ５のもつ屈折力（正パワー）によってターゲットマーク像は被写体像１０とほぼ同じ位置に観察される。これにより、撮影者は被写体像１０とターゲットマーク像とを同じ視度で同時に観察することができるようになる。この実施例では、ターゲットマーク４及びマイクロレンズ５を対物レンズ２，接眼レンズ３に各々一体成形してあるから、逆ガリレオ式ファインダーの基本的な構成部品だけで所期の機能を得ることができるため、これまでのファインダーと比較してほとんどコストアップになることはない。また、ターゲットマーク４及びマイクロレンズ５を形成するにしても、対物レンズ２，接眼レンズ３の成形に用いられる金型に各々に対応する溝や凹部を設けておくだけで成形後の後加工を必要としないから、量産適性に優れている。
【００１７】
ここで、上記のように対物レンズ２にターゲットマーク４を一体成形し、接眼レンズ３にマイクロレンズ５を一体成形することを前提とした上で、対物レンズ２の焦点距離をｆ１  、接眼レンズ３の焦点距離をｆ２  、各々の逆数であるパワーをそれぞれｐ１  ，ｐ２  とすると、被写体像１０を視度Ｄで観察できるようにするためのレンズ間隔ｄは、近軸領域及び薄肉レンズの近似計算によれば、
ｄ＝〔１０００×（ｐ１  ＋ｐ２  ）−Ｄ〕／（１０００×ｐ１  ×ｐ２  −Ｄ×ｐ１  ）
で求められる。一方、このときのファインダー倍率βは、
β＝１／〔（１−ｐ１  ×ｄ）−（ｐ１  ＋ｐ２  −ｐ１  ×ｐ２  ×ｄ）×ｅ〕
で表される。なお、ｅは接眼レンズ３の主点からアイポイントまでの距離を示している。
【００１８】
接眼レンズ３とマイクロレンズ５との合成焦点距離をｆ３  、合成パワーをｐ３  とすると、近似的にレンズ間隔ｄだけ離れた位置にあるターゲットマーク４の像を被写体像１０と同じ位置で観察できるようにするための条件は、
１／ｆ３  ＝ｐ３  ＝（１０００＋ｄ×ｄ）／（１０００×ｄ）
となる。そこで、レンズ間隔ｄが３０ｍｍ以内、合成焦点距離ｆ３  が４ｍｍを下回らないように実用的な範囲で制限を設けると、
０．０５≦（ｐ３  ／｜ｐ２  ｜）×β≦０．２５                ・・・▲１▼
の条件が得られる。なお、次表は具体的な数値を用いて検討した結果をまとめたものである。
【００１９】
【表１】
0003570767.tif 000002
【００２０】
条件式▲１▼の範囲で対物レンズ２及び接眼レンズ３の焦点距離ｆ１  ，ｆ２  ，合成焦点距離ｆ３  ，レンズ間隔ｄを設定することによって、被写体像１０とターゲットマーク４の像とを同じ視度のもとで同時に観察することが可能となる。
【００２１】
ところで、ターゲットマーク４を観察するときには、被写体からの光束の一部はマイクロレンズ５を通って撮影者の目に達する。本来、被写体からの光束Ｐは、図３に示すように、対物レンズ２に入射して発散された後、焦点距離ｆ２  （基本的には入射面の曲率半径Ｒ１  と射出面の曲率半径Ｒ２  で決まる）の接眼レンズ３のうち、マイクロレンズ５が形成されていない領域を通って瞳孔径Ｔの肉眼に入射することを前提としている。したがって、被写体からの光束Ｐのうち、マイクロレンズ５の形成領域を通った光束は、マイクロレンズ５のレンズ面の曲率半径Ｒ３  の分だけ多く屈折され、本来の被写体像１０とは異なった位置に虚像を形成することになる。
【００２２】
しかし本発明では、射出瞳８におかれた肉眼の瞳孔径Ｔに入射する被写体からの光束Ｐのうち、マイクロレンズ５の非形成領域を通る光束に対し、マイクロレンズ５を通る光束をわずかなものにしている。したがって、肉眼の視度は光軸上の点Ａにある被写体像１０に対して合わせられ、ターゲットマーク４の像とともに被写体像１０を鮮明に観察することができるようになる。このような作用を得るためには、瞳孔径Ｔに対してマイクロレンズ５の外径を小さくすればよいが、マイクロレンズ５の外径はアイポイントＥＰ、すなわちファインダ観察時に撮影者が目をおく位置（接眼レンズ３の射出瞳位置）から見込む角度として設定するのが合理的である。
【００２３】
そこで、接眼レンズ３の主点からアイポイントＥＰまでの距離をｅとし、ファインダー光軸を含む断面でのマイクロレンズ５のレンズ面両端（図では上端と下端となる）がアイポイントＥＰに対して張る角度を２θとしたとき、肉眼の瞳孔が最も絞られたときの瞳孔径Ｔが２．５ｍｍ程度であることを考慮して、
０．５≦２ｅ・ｔａｎθ≦２．５                    ・・・▲２▼
の条件が満たされるようにしてある。マイクロレンズ５の外径が大きくなって、条件式▲２▼の上限を上回った場合には被写体像の観察がしにくくなり、逆にマイクロレンズ５の外径が小さくなって条件式▲２▼の下限を下回った場合には、ターゲットマーク４の像が観察しにくくなり、また精度管理も厳しくなって製造が難しくなる。
【００２４】
図４は本発明の他の実施例を示す。この実施例では、対物レンズ２の物体側の面に十字形のターゲットマーク１２の他に、視野枠マーク１３を形成したものである。視野枠マーク１３は対物レンズ２の４隅に設けられ、ファインダー画面内に撮影範囲を表示する。これらのマーク１２，１３は、接眼レンズ３の物体側の面に一体に形成された５個のマイクロレンズ５を通し、それぞれ被写体像と同一視度で観察することができる。なお、これらのマイクロレンズ５も上述した条件式▲１▼，▲２▼を満足するものである。また、マーク１２，１３を対物レンズ２の接眼側の面に設けたり、マイクロレンズ５を接眼レンズ３の接眼側（図中の背面側）の面に設けてもよい。この実施例の場合、全てのマイクロレンズ５を同じ外径のものとしたとき、接眼レンズ３の周辺部分に設けられたマイクロレンズ５のレンズ面両端外径がアイポイントに対して張る角度は、中央部に設けたマイクロレンズ５よりも小さくなるが、条件式▲２▼が満足されていれば何ら差し支えない。
【００２５】
図５に示す実施例では、対物レンズ２の物体側の面に図４の実施例と同様のマーク１２，１３を形成し、対物レンズ２の接眼側の面にマイクロレンズ５を形成したものである。このような配置でも、マイクロレンズ５のパワーを適宜に決めてやれば、各マーク１２，１３の像を被写体像と同じ視度で観察することができる。この実施例の場合、対物レンズ２に各マーク１２，１３とマイクロレンズ５とを一体化してあるから、ファインダ組み立て時に対物レンズ２と接眼レンズ３との位置決めを厳密にしなくても各マーク１２，１３の像を良好に観察することができる利点がある。また、条件式▲２▼に関してもマイクロレンズ５の外径を大きくすることができ、製造しやすくなる。
【００２６】
図６に示す実施例では、対物レンズ２と接眼レンズ３との間に透明なプラスチックで一体に成形された２枚の平行平面板１５，１６を挿入してある。物体側の平行平面板１５にはターゲットマーク４が形成され、接眼側の平行平面板１６には、これまでの実施例と同様にマイクロレンズ５が一体に形成されており、全く同様の作用を得ることができる。この例の場合、対物レンズ２の物体側及び接眼側の面、平行平面板１５，１６の各面、接眼レンズ３の物体側及び接眼側の面と合計で８面ある。そして、その中の２面を適宜に選択してターゲットマーク４とマイクロレンズ５を設けることができる。
【００２７】
図７は本発明のさらに他の実施例を示す。この実施例は、ファインダー画面の上下に視野枠像を表示するためのもので、対物レンズ２と接眼レンズ３との間に一枚の平行平面板１８を配置してある。平行平面板１８の物体側の面には紙面と垂直な方向に延長した一対の凸条１９が形成され、その前面に直線状の視野枠マーク２０が設けられている。平行平面板１８の接眼側の面には、各々の視野枠マーク２０の長手方向の中央と対向するように、一対のマイクロレンズ５が形成されている。
【００２８】
平行平面板１８の厚みＥは１ｍｍ、マイクロレンズ５の外径Ｓは０．６ｍｍ、曲率半径は１ｍｍ、視野枠マーク２０とマイクロレンズ５の頂点との間隔Ｆは２．７５ｍｍとなっている。図中に破線で示すように、視野枠マーク２０からの光束は発散しながら射出瞳８に向かうので、マイクロレンズ５の外径Ｓは小さくても充分である。なお、間隔Ｆを大きくした場合にはマイクロレンズ５のパワーを小さくすることができる。
【００２９】
また、マイクロレンズ５に代えて、紙面と垂直な方向に伸ばしたシリンドリカルレンズを平行平面板１８に一体化してもよい。この場合のマイクロレンズの外径Ｓは、シリンドリカルレンズのパワーをもつ方向での幅に対応する。さらに、このような平行平面板１８を常時ファインダー光路内に入れて通常の視野枠像をファインダー内表示するだけでなく、一対の視野枠マーク２０の相互間隔を狭めてパノラマ撮影画面用の視野枠マークとし、パノラマ撮影の切替え操作に連動してこの平行平面板１８をファインダー光学系内に挿入するようにしてもよい。
【００３０】
図８に示す実施例は、ファインダー鏡筒２４の内壁に突設した突条２５を視野枠マークに用いている。接眼レンズ３の接眼側の面に、これまでと同様な構成をもった一対のマイクロレンズ５が一体化されており、突条２５のエッジをマイクロレンズ５を通して視野枠像として観察することができる。なお、対物レンズ２よりも物体側に前記突条２５を設けることも可能であり、もちろん対物レンズ２の物体側に透明な平行平面板を配置し、この平行平面板に視野枠マークを設けるようにしてもよい。
【００３１】
さらに図９に示す実施例では、凹レンズからなる対物レンズ２と、凸レンズからなる接眼レンズ２８により逆ガリレオ式ファインダーが構成されている。対物レンズ２の接眼側の面の四隅には視野枠マーク１３が形成され、これに対応して接眼レンズ２８の接眼側の平面２９の周辺部には正パワーをもつリング状のマイクロレンズ３０が形成されている。
【００３２】
逆ガリレオ式ファインダーを構成するために接眼レンズ２８に付与されるパワーは前面側の凸面３１で与えられており、被写体像は対物レンズ２と接眼レンズ２８の凸面３１，平面２９を通して所定の位置に観察される。そして、リング状のマイクロレンズ３０を通すことによって視野枠マーク１３の虚像が被写体像の位置近傍に形成される。この実施例でも被写体からの光束の一部はマイクロレンズ３０を通して観察されるが、被写体からの光束のほとんどは平面２９を通って肉眼に入射するから、視野枠マーク１３の像を観察するときの視度で被写体像を観察することができる。なお、上記マイクロレンズ３０の場合、ファインダー光軸を含む断面では２個所のレンズ面が形成されるが、おのおののレンズ面の両端がアイポイントに対して張る角度２θの値が条件式▲２▼を満足していればよい。
【００３３】
図１０に示す実施例では、対物レンズ２の物体側の面にパノラマ撮影用の視野枠マーク３５と、Ｃサイズ撮影用の視野枠マーク３６とが形成されている。接眼レンズ３の背後には、透明な基板３７が左右方向にスライド自在に設けられている。基板３７は、標準エリア３７ａと、パノラマエリア３７ｂと、Ｃサイズエリア３７ｃに分けられており、周知のクリックバネをクリック溝３８のいずれかに係合させることによって、標準エリア３７ａ，パノラマエリア３７ｂ，Ｃサイズエリア３７ｃのいずれかを接眼レンズ３の背後に位置決めすることができる。
【００３４】
８９ｍｍ×１５８ｍｍサイズ（ハイビジョンアスペクト比）のプリント写真を意図したときには、撮影モード切換え操作部により標準撮影が選択され、この選択操作に連動して接眼レンズ３の背後には図示のように標準エリア３７ａが位置決めされる。標準エリア３７ａは単に平行平面板になっているだけなので、接眼レンズ３を通して被写体像を観察したときにはいずれの視野枠マーク３５，３６にも視度が合わず、被写体像だけが観察される。
【００３５】
８９ｍｍ×２５４ｍｍサイズ（パノラマサイズ）のプリント写真を意図したときにはパノラマ撮影が選択され、その選択操作に連動して基板３７が図中左方にスライドされる。これにより、接眼レンズ３の背後にパノラマエリア３７ｂが位置決めされる。また、この状態で撮影操作を行ったときには、パノラマ撮影が選択されたことを表すデータがフイルムに光学記録される。パノラマエリア３７ｂには、その上下に一対のマイクロレンズ５が設けられているから、これらのマイクロレンズ５を通して視野枠マーク３５の像を被写体像と同じ視度で観察することができる。なお、他方の視野枠マーク３６については、やはり視度が合わないのでその像は観察されることはない。
【００３６】
８９ｍｍ×１２７ｍｍサイズ（従来のＬプリントサイズ）のプリント写真を意図したときにはＣサイズ撮影が選択され、その選択操作に連動して基板３７が最も左方にスライドされる。これにより、接眼レンズ３の背後にＣサイズエリア３７ｃが位置決めされる。また、この状態で撮影操作を行ったときには、Ｃサイズ撮影が選択されたことを表すデータがフイルムに光学記録される。Ｃサイズエリア３７ｃには、その左右に一対のマイクロレンズ５が設けられているから、これらのマイクロレンズ５を通して視野枠マーク３６の像を被写体像と同じ視度で観察することができる。なお、他方の視野枠マーク３５については、やはり視度が合わないのでその像は観察されることはない。
【００３７】
そして、この実施例においてもこれまでの実施例と同様に、条件式▲１▼，▲２▼が満足されるようにマイクロレンズ５の大きさが決められているから、視野枠マーク３５，３６を確認しようとしたときに被写体像がボケたりすることはなく、またファインダ光学系が必要以上に大型化したり、マイクロレンズ５のパワーが大きくなり過ぎてマイクロレンズの成形が困難になることはない。なお、この実施例を変形して用いることによって、例えばパララックス補正用の視野枠マークを選択的にファインダー内表示することも可能である。
【００３８】
前述した実施例のように、複数種類の視野枠マークの中から所定のものを選択してファインダー内表示するには、図１１の実施例のように構成することも可能である。この実施例では、対物レンズ２の物体側の面に標準撮影用の視野枠マーク４０ａと、パノラマ撮影用の視野枠マーク４０ｂとが形成されている。接眼レンズ３の物体側の面には、前記視野枠マーク４０ａ，４０ｂに対応してマイクロレンズ５ａ，５ｂが設けられている。
【００３９】
接眼レンズ３の前面に接近して切換え板４２が上下方向にスライド自在に設けられている。切換え板４２は透明な平行平面板からなり、標準エリア４２ａとパノラマエリア４２ａとを有し、そのいずれかのエリアをファインダー光路内に選択的に挿入することができる。標準エリア４２ａには円形の遮光部４３ａが設けられ、標準エリア４２ａがファインダー光路に挿入されたときに、図１２に示すようにマイクロレンズ５ｂの前面に位置する。また、パノラマエリア４２ａには同様の遮光部４３ｂが設けられ、パノラマエリア４２ｂがファインダー光路に挿入されたときに、マイクロレンズ５ａの前面に位置する。
【００４０】
撮影モード切換え操作部で標準撮影を選択すると、図１２に示すようにマイクロレンズ５ｂがファインダー光路内で遮光部４３ａによって遮蔽されため、アイポイントＥＰからファインダー画面を観察したときには、対物レンズ２と接眼レンズ３を通して被写体像が観察されるとともに、マイクロレンズ５ａを通して標準撮影用の視野枠ーク４０ａの像とを観察することができ、パノラマ撮影用の視野枠マーク４０ｂはファインダー画面内に表示されることはない。また、パノラマ撮影を選択すると切換え板４２がさらに上方にスライドし、遮光部４３ｂによってマイクロレンズ５ａが遮蔽される。したがって、この場合には標準撮影用の視野枠マーク４０ａの像は観察されず、被写体像とともにパノラマ撮影用の視野枠マーク４０ｂの像だけが観察されるようになる。
【００４１】
これらのマイクロレンズ５ａ，５ｂは、やはり上述した条件式▲１▼，▲２▼を満足する形状となっているため、いずれの視野枠マークがファインダー画面内に表示されるときでも、被写体像は対物レンズ２と接眼レンズ３で決まる所定の位置に虚像として観察され、各視野枠マークの虚像は被写体像の位置付近に形成されるようになり、被写体像と視野枠マークの像とを同じ視度で鮮明に観察することができる。なお、切換え板４２を接眼レンズ３に近づけて配置しているため、遮光部４３ａ，４３ｂによって被写体像の一部が丸く欠けたりすることはない。また、この切換え板４２を横方向にスライドさせて切換えたり、切換え板４２を接眼レンズ３のアイポイント側に接近して配置することも可能である。
【００４２】
以上、図示した実施例をもとに本発明について説明してきたが、本発明は逆ガリレオ式ファインダー以外のもの、例えば透視式ファインダーや物体側に正パワー，接眼側に負パワーのレンズを用いたガリレオ式ファインダーにも適用することができる。
【００４３】
【発明の効果】
上述したように、本発明によれば、ファインダー光路中に撮影画面の中心を表すターゲットマークを設け、これを接眼側に設けたマイクロレンズを通して観察できるようにするにあたり、マイクロレンズを微少なものにすることによって、ターゲットマークを観察するときでも被写体からの光束の多くをマイクロレンズの非形成領域を通して撮影者の目に入射させるようにしてあるから、被写体からの光束の一部がマイクロレンズを通って目に入射してもその影響をほとんどなくし、被写体像とターゲットマークとを同じ視度で鮮明に観察することができるようになる。
【００４４】
また、ターゲットマークや視野枠マークを虚像にして観察するためのマイクロレンズの外径や、ファインダ倍率とマイクロレンズのパワーを適切な範囲に規定してあるから、これらのマークの像を確認しようとしたときに、被写体像が見にくくなったり、あるいはファインダー光学系が複雑化したりマイクロレンズの成形が困難になるといった不都合はなく、ファインダー装置も大型化しない。
【００４５】
さらに、本発明を逆ガリレオ式ファインダーに適用するときには、対物レンズと接眼レンズという基本的な構成部品にマークやマイクロレンズを一体に設けることができるから、ローコストで所期の機能を達成することができる。また、マイクロレンズによる視度調節機能を積極的に利用し、複数種類の視野枠マークの中から所定のものだけを選択してファインダー内表示することも簡便に行うことができ、視野枠の切換え機構を簡略化することもできる。
【図面の簡単な説明】
【図１】逆ガリレオ式ファインダーに本発明を用いた一実施例を示す斜視図である。
【図２】図１に示す実施例のファインダー光路の概略を示す説明図である。
【図３】図１の実施例において、被写体中心部分からの光束がマイクロレンズに入射したときの様子を示す説明図である。
【図４】本発明の他の実施例を示す斜視図である。
【図５】本発明の別の実施例を示す斜視図である。
【図６】本発明のさらに別の実施例を示す斜視図である。
【図７】本発明のさらに他の実施例を示す概略断面図である。
【図８】ファインダー鏡筒を利用した実施例を示す概略断面図である。
【図９】本発明のさらに異なる実施例を示す斜視図である。
【図１０】視野枠マークの切替え機能をもった実施例を示す斜視図である。
【図１１】視野枠マークの切替え機能をもった他の実施例を示す斜視図である。
【図１２】図１１に示す実施例の作用説明図である。
【符号の説明】
２  対物レンズ
３  接眼レンズ
４  ターゲットマーク
５  マイクロレンズ
７  被写体
１０  被写体像
１２  ターゲットマーク
１３  視野枠マーク
１５，１６，１８  平行平面板
１９  突条
２０  視野枠マーク
２４  ファインダー鏡筒
２５  突条
２８  接眼レンズ
２９  平面
３０  マイクロレンズ
３５，３６  視野枠マーク
３７  基板
４０ａ，４０ｂ  視野枠マーク
４２  切換え板
４３ａ，４３ｂ  遮光部
【図１】
0003570767.tif 000003
【図２】
0003570767.tif 000004
【図３】
0003570767.tif 000005
【図４】
0003570767.tif 000006
【図５】
0003570767.tif 000007
【図６】
0003570767.tif 000008
【図７】
0003570767.tif 000009
【図８】
0003570767.tif 000010
【図９】
0003570767.tif 000011
【図１０】
0003570767.tif 000012
【図１１】
0003570767.tif 000013
【図１２】
0003570767.tif 000014